(57)【要約】      （修正有）【課題】既存の防水構造を破壊することなく、陸屋根の屋上に搬入して容易に据え付けが可能な太陽光発電パネル取付架台を提供する。【解決手段】太陽光発電パネル取付用架台は、予め太陽光発電パネルを設置した場合の太陽光発電パネル全体にかかる風荷重を考慮するとともに、人力で移動が可能な、所定の重量を有するコンクリートブロック１１ａ，１１ｂと、コンクリートブロック１１ａ，１１ｂの上に固定可能な支柱１２，１３と、他の複数のコンクリートブロック及び支柱を有し、それら支柱に着脱自在に設けられ、その上部に太陽光発電パネルを取り付け可能な縦材２１ａ〜２１ｃと横材２２〜２５とを含む。【選択図】図１
0003192310.tif 000002
【実用新案登録請求の範囲】
【請求項１】
予め太陽光発電パネルを設置した場合の太陽光発電パネル全体にかかる風荷重を考慮するとともに、人力で移動が可能な、所定の重量を有するコンクリートブロックと、
前記コンクリートブロックの上に固定可能な支柱と、
前記支柱に着脱自在に設けられ、その上部に太陽光発電パネルを取り付け可能な架台部材とを含む、太陽光発電パネル取付用架台。
【請求項２】
前記コンクリートブロックは相互に連結して複数設けられる、請求項１に記載の太陽光発電パネル取付用架台。
【請求項３】
前記支柱は第１の高さを有する第１支柱と、
前記第１の高さよりも高い第２の高さを有する第２支柱とを含み、それによって、前記架台部材は所定の方向に傾斜しており、
前記第２支柱側に設けられ、前記所定の方向への風の侵入を防ぐ防風部材を含む、請求項１または２に記載の太陽光発電パネル取付用架台。
【請求項４】
前記防風部材はネットである、請求項３に記載の太陽光発電パネル取付用架台。
【請求項５】
前記コンクリートブロックの下部に取り付けられるゴムシートを含む、請求項１〜４のいずれかに記載の太陽光発電パネル取付用架台。
【考案の詳細な説明】
【技術分野】
【０００１】
この考案は太陽光発電パネル取付架台に関し、特に、設置が容易な太陽光発電パネル取付架台に関する。
【背景技術】
【０００２】
従来の太陽光発電パネル取付架台がたとえば、特開２０１３−２４９６１６号公報（特許文献1）に記載されている。特許文献１によれば、太陽光発電パネル取付架台は杭を含み、この杭を地面に打ち込むことによって固定している。
【先行技術文献】
【特許文献】
【０００３】
【特許文献１】特開２０１３−２４９６１６号公報
【考案の概要】
【考案が解決しようとする課題】
【０００４】
従来の太陽光発電パネル取付架台は上記のようにして固定されていた。一般に太陽光発電パネルは、このような地上に設けるものだけではなく、陸屋根等の屋上に設けられる場合が多い。この場合に、太陽光発電パネルを載置する架台の基礎を設ける必要がある。このとき、太陽光発電パネルの設置による雪荷重や風荷重等を考慮して基礎を設計する必要があり、屋上に施工された防水シート等を貫通してアンカーボルト等が撃ち込まれることがある。このような場合には、再度防水工事をやり直す必要があった。
【０００５】
また、架台は比較的重量があるため、それを屋上まで搬入するのに、別途クレーンを準備する等の必要があった。
【０００６】
この考案は上記のような問題点を解消するためになされたもので、既存の防水構造を破壊することなく、陸屋根の屋上に搬入して容易に据え付けが可能な太陽光発電パネル取付架台を提供することを目的とする。
【課題を解決するための手段】
【０００７】
この考案に係る太陽光発電パネル取付用架台は、予め太陽光発電パネルを設置した場合の太陽光発電パネル全体にかかる風荷重を考慮するとともに、人力で移動が可能な所定の重量を有するコンクリートブロックと、コンクリートブロックの上に固定可能な支柱と、支柱に着脱自在に設けられ、その上部に太陽光発電パネルを取り付け可能な架台部材とを含む。
【０００８】
コンクリートブロックは相互に連結して複数設けられてもよい。
【０００９】
支柱は第１の高さを有する第１支柱と、第１の高さよりも高い第２の高さを有する第２支柱とを含み、それによって、架台部材は所定の方向に傾斜しており、第２支柱側に設けられ、所定の方向への風の侵入を防ぐ防風部材を含むのが好ましい。
【００１０】
防風部材はネットであってもよい。
【００１１】
コンクリートブロックの下部に取り付けられるゴムシートを含むのが好ましい。
【考案の効果】
【００１２】
この考案によれば、基礎として、予め太陽光発電パネルを設置した場合の太陽光発電パネル全体にかかる風荷重を考慮した重量を有し、かつ人力で移動が可能なコンクリートブロックを用いるため、設置される屋根にアンカーボルトを設ける必要がない。また、基礎の上に載置される架台も分割されているため、クレーン等の機器を設ける必要がない。
【００１３】
その結果、既存の防水構造を破壊することなく、陸屋根の屋上に搬入して容易に据え付けが可能な太陽光発電パネル取付架台を提供できる。
【図面の簡単な説明】
【００１４】
【図１】この考案に係る太陽光発電パネル取付用架台セットが陸屋根の屋上に設置された状態を示す図ある。
【図２】図１（Ｃ）に示した側面図を拡大した図である。
【図３】図２においてＩＩＩで示した部分の拡大図である。
【図４】コンクリートブロックを示す図である。
【図５】コンクリートブロックを複数連続して配置した状態を示す図である。
【図６】横材の詳細を示す図である。
【考案を実施するための形態】
【００１５】
以下、この考案の一実施の形態を、図面を参照して説明する。図１はこの考案に係る太陽光発電パネル取付用架台セットが陸屋根の屋上に設置された状態の一部を示す図ある。図１（Ａ）は太陽光発電パネル取付用架台を据え付けたときの平面図であり、図１（Ｂ）は図１（Ａ）において、矢印ＩＢ−ＩＢで示す部分の矢視図（立面図）であり、図１（Ｃ）は図１（Ａ）において、矢印ＩＣ−ＩＣで示す部分の矢視図（側面図）である。
【００１６】
図１を参照して、太陽光発電パネル取付用架台１０は、陸屋根の屋上３０上に設けられる基礎となる複数のコンクリートブロック１１ａ〜１１ｄと、コンクリートブロック１１ａ〜１１ｄの上に設けられた支柱１２〜１５と、支柱１２〜１５の上部において、手前側から奥に向かって高くなるように傾斜するように設けられている縦材２１ａ〜２１ｃと、縦材２１ａ〜２１ｃの上に、一定の間隔で横方向に相互に平行に設けられる横材２２〜２５とを含む。
【００１７】
なお、図１においては、陸屋根の屋上３０の上に設けられた防水用のシートについては、省略している。
【００１８】
ここで、架台を構成する支柱、縦材、横材は、作業者が人手で搬入可能とするために、軽量のアルミで形成されているのが好ましい。
【００１９】
このように設置された太陽光発電パネル取付用架台１０の上に、点線で示すように太陽光発電パネルが複数載置される。また、ここでは、縦材２１ａ〜２１ｃの傾斜している面が太陽光を受ける面（たとえば、南面）になっている。
【００２０】
この実施の形態においては、２本の横材２２,２３によって１列に並んだ複数のパネルが、別の２本の横材２４,２５によって別の１列に並んだ複数のパネルが保持される。
【００２１】
次に太陽光発電パネル取付用架台１０の詳細について説明する。図２は図１（Ｃ）に示した側面図を拡大した図であり、図３（Ａ）は図２においてＩＩＩＡで示した部分の拡大図であり、図３（Ｂ）は図３（Ａ）において、矢印ＩＩＩＢ-ＩＩＩＢで示す部分の矢視図である。
【００２２】
ここで、図３（Ｂ）に示すように、コンクリートブロック１１ａには、予め支柱１２を両側から挟んでコンクリートブロック１１ａに固定するためのサポート材３６ａ，３６ｂをブロック１１ａに固定するためのねじ穴が設けられている。これについては後述する。
【００２３】
図２〜図３を参照して、陸屋根３０はその上端部が防水用のシート３１で覆われている。このシート３１の上に、太陽光発電パネル用架台の基礎となるコンクリートブロック１１ａ，１１ｂが載置される。ここで、コンクリートブロック１１ａ，１１ｂはシート３１の上に載置されているだけで、コンクリートブロック１１ａ，１１ｂはアンカーボルト等で陸屋根３０に固定されていない。したがって、防水用のシート３１等を破損することもない。
【００２４】
ここでは、シート３１とコンクリートブロック１１ａとの間の摩擦力を増大するためのゴムシート３３ａ，３３ｂが設けられている。
【００２５】
なお、このコンクリートブロック１１ａ，１１ｂの重量は、予め太陽光発電パネルを設置した場合の太陽光発電パネル全体にかかる風荷重を考慮するとともに、人力で移動が可能な、所定の重量を有する。
【００２６】
また、この風荷重を軽減するために、高い方の支柱１３の高い方の面に沿って、この架台の下部に侵入する風を防ぐための防風部材３４を設けてもよい。この防風部材３４は板材であってもよいし、繊維で構成されたネットでもよい。
【００２７】
なお、補強のために、支柱１２と縦材２１とを接続する斜め部材１２ａ，１３ａを設けるのが好ましい。
【００２８】
次に、図４を参照して、コンクリートブロック１１について説明する。図４（Ａ）は平面図であり、図４（Ｂ）は図４（Ａ）において、矢印ＩＶＢ-ＩＶＢで示す部分の矢視図であり、図４（Ｃ）は図４（Ａ）において、矢印ＩＶＣ-ＩＶＣで示す部分の矢視図である。
コンクリートブロック１１は板状の直方体であり、その中央部に設けられた一対のボルト穴３７と、四隅に設けられた４つのボルト穴３８とを含む。
【００２９】
中央部に設けられた一対のボルト穴３７は、支柱をコンクリートブロックと一体化させるための図示のないボルトを固定するためのもので、四隅に設けられた４つのボルト穴は、コンクリートブロック１１を横方向に連続するための接続部材を固定するためのボルトを設けるためのものである。
【００３０】
図５に示すように、コンクリートブロック１１ａ，１１ｅ，１１ｆは、所定の接続部材３９と図示のないボルトを用いて相互に横方向に連結が可能である。コンクリートブロック１１をこのようにユニット化したのは、このようにすることによって、風荷重等を考慮して１か所の基礎の重量が大きくなっても、その重量を作業者が搬入可能な複数のブロック１１を連結することによって達成可能になるためである。
【００３１】
次に、横材２２〜２５について説明する。横材２２〜２５は、それぞれ、１つの部材で構成されていてもよいが、作業者が手で持ち運びができるように、数ｍ程度の部材を複数連結して構成してもよい。この場合の連結構造を図６に示す。図６（Ａ）は、長手の横材２２を構成する１つの横材構成部材２２ａと、それに隣接する横材構成部材とを接続するための矩形断面を有する中子２２ｃとを示す図であり、図６（Ｂ）は、中子２２ｃで接続される直前の隣接する２つの横材構成部材２２ａ，２２ｂを示す図である。ここで、横材構成部材２２ａ，２２ｂは、上部に太陽光発電パネルを長手方向に移動可能であり、所望の位置でそれを固定できるようにするための溝付きレール部２７と、溝付きレール部２７の下部に設けられた略矩形断面を有する中子収容部２８とを含む。
【００３２】
図６（Ａ），（Ｂ）を参照して、複数の横材構成部材２２ａ，２２ｂを接続して横材２２を構成するときは、まず、横材構成部材２２ａの中子収容部２８に中子２２ｃがその半分が収まるように収容する。次に、中子２２ｃの突出した部分を横材構成部材２２ｂの中子収容部２８で収容する。その後、中子２２ｃと、横材構成部材２２ａ，２２ｂとが移動しないように、その両側を外部からねじ２９等で固定する。
【００３３】
以上のように、この考案によれば、基礎として、予め太陽光発電パネルを設置した場合の太陽光発電パネル全体にかかる風荷重を考慮した重量を有し、かつ人力で移動が可能なコンクリートブロックを用いるため、設置される屋根にアンカーボルトを設ける必要がない。また、基礎の上に載置される架台も分割されているため、クレーン等の機器を設ける必要がない。
【００３４】
したがって、作業者の人力だけで、部材を現地に搬入し、そこで組立ることが可能である。また、架台がアルミ製であるので、現場において長さの調整等が容易に可能である。
【００３５】
また、上記実施の形態においては、太陽光発電パネル取付用架台を陸屋根の上に設ける場合について説明したが、これに限らず、傾斜した屋根や、地上に設置する場合に用いてもよい。
【００３６】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【符号の説明】
【００３７】
１０  太陽光発電パネル取付用架台、１１ａ〜１１ｄ  コンクリートブロック、１２〜１５  支柱、１２ａ，１３ａ  斜め部材、２１ａ〜２１ｃ  縦材、２２〜２５  横材、３０  陸屋根、３１  シート。
【図１】
0003192310.tif 000003
【図２】
0003192310.tif 000004
【図３】
0003192310.tif 000005
【図４】
0003192310.tif 000006
【図５】
0003192310.tif 000007
【図６】
0003192310.tif 000008